(57)【要約】      （修正有）【課題】家庭において簡単に使用できる、逆さぶら下がりになり身体全体のストレッチができる全身ストレッチロッキングチェアーを提供する。【解決手段】ロッキングチェアーの座板５の前部に連結ピン７で支持した自由旋回足首固定冶具９を設け、座板後部には連結ピン６で背面板４を支持し、背面板他端は床面に接地させることで、足首を固定し真っすぐに寝た状態で頭側を水平より下に１０数度傾けて、体全体を重力に逆らう体勢にする事で体全体をストレッチすることができる。【選択図】図１
0003226769.tif 000002
【実用新案登録請求の範囲】
【請求項１】
従来のロッキングチェアーの座板５の前部に前側連結ピン７で支持した足首固定冶具０を設ける、さらに座板５の後部には後側連結ピン６を支点した背面板４を設け、この背面板４他端を床面に接触させる、さらに座板５両側面に設けた腕置き台１６には、上体を寝起きする時の腕置き台兼起き上がり棒１８を数個と背面板４の固定と解除をする握り兼固定ピン１７を設ける、これら足首固定冶具０と座板５さらに背面板４で、体を真っすぐに寝た状態で頭部を水平より下に体全体を逆さぶら下がり状態で、足首を中心に全身を３６０度回転できる全身ストレッチロッキングチェアーを提供する。
【請求項２】
請求項１の足首固定冶具０は座板５前部に前側連結ピン７で座板５上面より上がる様に支持された足首固定レバー１５を支持する、この他端に足首固定冶具固定シャフト受けピン１３で支えた足首固定冶具固定シャフト受け１４を設ける、該足首固定冶具固定シャフト受け１４の中央に足首固定冶具固定シャフト１２を設ける、さらに該足首固定冶具固定シャフトに１２に通した足首固定冶具９を設ける、該足首固定冶具９には足首固定冶具固定シャフト１２と直角に２本のクッションで保護した足の甲押さえパット１０と足の甲押さえパット１０より足首が入る距離で離れた位置に平行にかつ多少ハの字状に開いて２本のかがと押さえパット１１を設ける事で、足首を挟んだ状態で固定しユニバーサルジョイント機構を構成する、足首固定冶具固定シャフト１２を中心に体を自由に３６０度回転できる、さらにこの回転を補助するために、背面板４の上部左右に体回転ステー２２を設けた全身ストレッチロッキングチェアーを提供する。
【請求項３】
請求項２の足首固定具０内部に足首固定冶具固定シャフト１２の上部を支点として振り子状に動く足首固定治具用スリット２３を設けた全身ストレッチロッキングチェアーを提供する。
【請求項４】
請求項１はストレッジ動作をしない時は、背面板４を起こし腕置き台１６に設けた背面固定ピン６により背面板４を立てた状態で固定する事で、ロッキングチェアーとしてリラックスできる全身ストレッチロッキングチェアーを提供する。
【考案の詳細な説明】
【技術分野】
【０００１】  本発明は、全身ストレッジロッキングチェアー兼ロッキングチェアーに関するものである。
【背景技術】
【０００２】  人類が２足歩行する事で、重たい頭を支え重力に逆らい歩く事で、骨格の歪や椎間板のつぶれ等による腰痛、さらに胃下垂に代表される内臓等が下がり動きが悪くなる、さらに血液やリンパ液の流れ不良と言った症状の原因になっている体調不良の未病状態になる、これを対策する為に電気化した高価なマッサージ機や逆さぶら下がり健康機が提供されている。【０００３】
【先行技術文献】
【特許文献】
【０００４】
【特許文献１】特開２００５−３４２２６３
【特許文献２】特許第３６２１６１６
【非特許文献】
【０００５】
【非特許文献１】Ｆ５０００−３  逆さぶら下がり健康具
【考案の概要】
【考案が解決しようとする課題】
【０００６】  人間が２足歩行を始めて、重たい頭を支えながら生活することにより、骨格が歪む、さらに椎間板のつぶれによる椎間板ヘルニア、さらに血液やリンパ液が下半身に溜まりむくむ，内臓も胃下垂に代表されるように重力に引かれ内臓が下がることで動きが悪くなる等多くのストレスが溜まり体調不良となるが、この体調の不具合を解消するために高価なモーターを使用して、足首固定冶具と背もたれを制御しながら平にした体全体に頭部を１０数度下に傾ける身体伸縮椅子は有るが、モーターを使用しない安価でかつ、固定した足首を中心に３６０度回転できる装置が無い。【０００７】  更にストレッジするだけの装置では未使用時邪魔になる。
【課題を解決するための手段】
【０００８】  前記目的を達成するために、ロッキングチェアーの座板５の前部に自由旋回足首保持治具０を前側連結ピン７で取り付ける、この自由旋回足首保持治具０は前側連結ピン７で足首固定バー１５を固定し、この他端には足首固定冶具固定シャフト１３を支点として足首固定冶具固定シャフト受け１４を支持して取り付け、この中央部には足首固定冶具固定シャフト１２を設ける、さらに該足首固定冶具固定シャフト１２他端には足首固定冶具９を支持する、該足首固定冶具９には足の甲押さえパット１０とかかと押さえパット１１を２本ずつ設ける、一方座板５の後部には背面板４を後側連結ピン６で支点として床面に倒す、また座板５両側面に腕置き台１６を設け該腕置き台１６には腕置き台兼起き上がり棒１８を数本設ける、また背面固定ピン１９を設けて足首固定冶具９で体を固定した状態で腕置き台兼起き上がり棒１８を握り上体を倒し、床面に倒した背面板４の上に寝そべった状態で頭を１０数度水平より下に向ける事で、重たい頭で体全体を引っ張りストレッジ効果を出す、さらに血液・ピンパ液・内臓・筋肉も重力に逆らった動きとなりストレッジ効果が得られる事を特徴とする全身ストレッチロッキングチェアーである。【０００９】足首固定治具９に設けた足の甲押さえパット１０とかかと押さえパット１１で足首を挟み固定する、この足首固定治具９中心に設けた足首固定冶具固定シャフト１２と、これを中心に設ける足首固定冶具シャフト受け１４さらに、この両端を足首固定冶具固定シャフト１３で足首固定レバー１５に取り付ける該足首固定レバー１５他端は背面板４の前部に前側連結ピン７を支点として座板５の前面端に取り付けられる、このとき足首固定レバー１５は座板５上面より上に上がる角度で支持して取り付ける事で、足首を両パットで挟み固定し体を真っすぐにした状態で頭を下にして、足首を中心に座板５上で上向き右向き下向き左向きと３６０度回転でき各角度で手のひらや指で指圧する事で各部のストレッジをする事ができる全身ストレッチロッキングチェアーである。【００１０】    また前記の足首固定冶具固定シャフト１２が足首固定冶具９内で足首固定冶具固定シャフト１２上部を支点として足首固定冶具固定シャフト用スリッド２３内を振り子状に摺動することができ全身ストレッチロッキングチェアーである。【００１１】    さらに、ストレッジ機能未使用時は背面板４を床面より立ち上げ腕置き台１６に設けた背面固定ピン１９で固定する事で、邪魔になる装置をロッキングチャーとして使用する事で邪魔にならない。
【考案の効果】
【００１２】  本発明は人間が２足歩行することで重力により筋肉・骨格・血液・リンパ液・内臓が足側に引かれ筋肉の縮み・骨格の歪・血液リンパが足に下がる・内臓が下がる等により何となく体調が悪い未病の状態に成る事が多いが、そこで足首を固定した状態で頭部を１０数度下に傾斜させながら重力に逆らい逆さぶら下がり状態で体を３６０度回転しながら、手の平で摩擦や指で指圧する事で重力に逆らいながら体を動かす、又指を使い軽く指圧する事で通常できない左右向きになって内臓を横に移動しながら指圧すると通常指圧できない内臓深部に有る臓器も指圧する事で血液リンパ液の循環が良くなり動きが良くなり各部のストレッジができ、人間が２足歩行し重力で下がった物を一時的に逆さまにして頭部に移動する事で、これらをストレッジする事で骨格の歪や椎間板のつぶれを戻すさらに体全体や各臓器の血行が良くなりコリが取れ未病状態が正常になる。【００１３】  さらに、本装置上で足首を足首固定冶具９で固定保持した状態で足首固定冶具固定シャフト１２を中心に水平になった状態で頭を１０数度下に傾けた逆さまぶら下がりになった状態で体を回転させ、各状態で各部を指圧する事で、血液・リンパ・筋肉・骨格・内臓奥の臓器まで指圧する事に成り、内部臓器までこりが取れストレッジをする事ができる。【００１４】  足首固定冶具固定シャフト１２が足首固定冶具９内で足首固定冶具固定シャフト１２上部を支点として振り子状に摺動する事で、体を逆さま状態で足首を前後させることで、筋肉が動きふくらはぎや太ももの筋肉で静脈やリンパ液をポンピング作動で送りだされ循環が良く成る。【００１５】  また、本装置をストレッジ装置として未使用時は邪魔になるだけだが、背面板４を立て腕置き台１６に設けた握り兼ロックピン１７で固定する事でロッキングチャーとして使用しリラックスできる。
【図面の簡単な説明】
【００１６】
【図１】ストレッチロッキングチェアーの逆さぶら下がり状態側面図
【図２】ストレッチロッキングチェアーのロッキングチェアー状態側面図
【図３】ストレッチロッキングチェアーの平面図
【図４】ストレッチロッキングチェアーの正面図
【図５】ストレッチロッキングチェアーの足首固定冶具平面図
【図６】ストレッチロッキングチェアーの足首固定冶具側面図
【図７】ストレッチロッキングチェアーの足首固定冶具下面図
【図８】ストレッチロッキングチェアーの足首固定上向き使用状態側面図
【図９】ストレッチロッキングチェアーの足首固定横向き使用状態正面図
【考案を実施するための形態】
【実施例】
【００１７】  以下、本発明にかかるストレッチロッキングチェアーの最良の形態を、ロッキングチェアーを例示して説明する。【００１８】  図１に示すように、ロッキングチェアーの底部台１に固定した前脚２と後脚３に固定された座板５、この座板５の前部に前側連結ピン７で支持された足首固定バー１５、該足首固定バー１５の支持部の反対側には、足首固定冶具固定シャフト受けピン１３で支持された足首固定冶具固定シャフト受け１４を設け、この中央部には足首固定シャフト１２を設ける、さらにこの足首固定シャフト１２の反対側には足首固定冶具９を設けさらに該足首固定冶具９には足の甲押さえパット１０とかがと押さえパット１１を一定の距離を設けて足首固定シャフト１２に直角で設ける、さらに該座板５の後部には後側連結ピン６で支持された背面板４を設け、該背面板４の他端は床面に接地させる、また座板５の両側面には腕置き台１６を設ける、該腕置き台１６には数本の腕置き台兼起き上がり棒１８を設ける、該腕置き台１６後部には出し入れ可能な背面固定ピン１９を設ける、一方底部台１の内側には前側補強２０と後側補強２１を設置し横揺れに対する補強材を設ける。【００１９】  さらに、上記足首固定冶具９は足首固定冶具固定シャフト１２と足首固定冶具固定シャフト受けピン１３さらに足首固定冶具９で構築されたユニバーサルジョイントと背面板受け板８上部に設けた体回転ステー２２を設ける事で、頭を下にした状態で体を３６０度回転させる事がでる。【００２０】  さらに、上記足首固定冶具９内の足首固定冶具固定シャフト１２上部を支点として足首固定冶具９内で振り子状に摺動する、三角形の足首固定冶具固定シャフト用スリッド２３を設ける。【００２１】    又、未使用時は背面板受け板８を立て、腕置き台１６後部に設けた背面固定ピン１９を押し込み固定ピンとして使用できる。
【符号の説明】
【００２２】１    底部台
２    前脚
３    後脚
４    背面板
５    座板
６    後側連結ピン
７    前側連結ピン
８    背面板受け板
９    足首固定冶具
１０  足の甲押さえパット
１１  かがと押さえパット
１２  足首固定冶具固定シャフト
１３  足首固定冶具固定シャフト受けピン
１４  足首固定冶具固定シャフト受け
１５  足首固定レバー
１６  腕置き台
１７  握り兼ロックピン
１８  腕置き台兼起き上がり棒
１９  背面固定ピン
２０  前側補強
２１  後側補強
２２  体回転ステー
２３  足首固定冶具固定シャフト用スリッド
【図１】
0003226769.tif 000003
【図２】
0003226769.tif 000004
【図３】
0003226769.tif 000005
【図４】
0003226769.tif 000006
【図５】
0003226769.tif 000007
【図６】
0003226769.tif 000008
【図７】
0003226769.tif 000009
【図８】
0003226769.tif 000010
【図９】
0003226769.tif 000011
【手続補正書】
【提出日】令和2年1月16日(2020.1.16)
【手続補正１】
【補正対象書類名】実用新案登録請求の範囲
【補正対象項目名】全文
【補正方法】変更
【補正の内容】
【実用新案登録請求の範囲】
【請求項１】
従来のロッキングチェアーの座板５の前部に前側連結ピン７で支持した自由旋回足首保持冶具０を設け、さらに座板５の後部には後側連結ピン６で支持した背面板４を設け、この背面板４他端を床面に接触させ、さらに座板５両側面に設けた腕置き台１６には、上体を寝起きする時の腕置き台兼起き上がり棒１８を数個と背面板４の固定と解除をする握り兼固定ピン１７を設け、これら自由旋回足首保持冶具０と座板５さらに背面板４で、体を真っすぐに寝た状態で頭部を水平より下に体全体を逆さぶら下がり状態で、足首を中心に全身を３６０度回転できる全身ストレッチロッキングチェアー。
【請求項２】
請求項１の自由旋回足首保持冶具０は座板５前部に前側連結ピン７で座板５上面より上がる様に支持された足首固定レバー１５を支持し、この他端に足首固定冶具固定シャフト受けピン１３で支えた足首固定冶具固定シャフト受け１４を設け、該足首固定冶具固定シャフト受け１４の中央に足首固定冶具固定シャフト１２を設け、さらに該足首固定冶具固定シャフトに１２に通した足首固定冶具９を設け、該足首固定冶具９には足首固定冶具固定シャフト１２と直角に２本のクッションで保護した足の甲押さえパット１０と足の甲押さえパット１０より足首が入る距離で離れた位置に平行にかつ多少ハの字状に開いて２本のかがと押さえパット１１を設ける事で、足首を挟んだ状態で固定しユニバーサルジョイント機構を構成する、足首固定冶具固定シャフト１２を中心に体を自由に３６０度回転でき、さらにこの回転を補助するために、背面板４の上部左右に体回転ステー２２を設けた全身ストレッチロッキングチェアー。
【請求項３】
請求項２の足首固定具９内部に足首固定冶具固定シャフト１２の上部を支点として振り子状に動く足首固定治具用スリット２３を設けた全身ストレッチロッキングチェアー。
【請求項４】
請求項１はストレッジ動作をしない時は、背面板４を起こし腕置き台１６に設けた背面固定ピン１９により背面板４を立てた状態で固定する事で、ロッキングチェアーとしてリラックスできる全身ストレッチロッキングチェアー。
【手続補正２】
【補正対象書類名】明細書
【補正対象項目名】００１６
【補正方法】変更
【補正の内容】
【００１６】
【図１】ストレッチロッキングチェアーの逆さぶら下がり状態側面図
【図２】ストレッチロッキングチェアーのロッキングチェアー状態側面図
【図３】ストレッチロッキングチェアーの平面図
【図４】ストレッチロッキングチェアーの正面図
【図５】ストレッチロッキングチェアーの自由旋回足首保持治具平面図
【図６】ストレッチロッキングチェアーの自由旋回足首保持治具側面図
【図７】ストレッチロッキングチェアーの自由旋回足首保持治具下面図
【図８】ストレッチロッキングチェアーの足首保持上向き使用状態側面図
【図９】ストレッチロッキングチェアーの足首保持横向き使用状態正面図
【手続補正３】
【補正対象書類名】明細書
【補正対象項目名】００２２
【補正方法】変更
【補正の内容】
【００２２】０    自由旋回足首保持治具１    底部台２    前脚３    後脚４    背面板５    座板６    後側連結ピン７    前側連結ピン８    背面板受け板９    足首固定冶具１０  足の甲押さえパット１１  かがと押さえパット１２  足首固定冶具固定シャフト１３  足首固定冶具固定シャフト受けピン１４  足首固定冶具固定シャフト受け１５  足首固定レバー１６  腕置き台１７  握り兼ロックピン１８  腕置き台兼起き上がり棒１９  背面固定ピン２０  前側補強２１  後側補強２２  体回転ステー２３  足首固定冶具固定シャフト用スリッド
【手続補正４】
【補正対象書類名】図面
【補正対象項目名】図５
【補正方法】変更
【補正の内容】
【図５】
0003226769.tif 000012